【事件の表示】
　特許第２７３１３４８号「チュービング装置」の請求項１ないし２に係る特許に対する特許異議の申立てについて、次のとおり決定する。
【結論】
　訂正を認める。
　特許第２７３１３４８号の請求項１に係る特許を維持する。
【理由】
Ｉ．手続の経緯
　特許２７３１３４８号の請求項１〜２に係る発明についての出願は、平成６年３月１０日に特許出願され、平成９年１２月１９日にその特許の設定登録がなされ、その後、その特許について三菱重工業株式会社及び株式会社平林製作所より特許異議の申立てがなされ、当審において取消理由通知がなされたところ、その指定期間内である平成１１年４月２２日に訂正請求がなされたものである。
ＩＩ．訂正の適否についての判断
（１）訂正の内容
　訂正請求の内容は次のとおりである。
　１）特許請求の範囲の請求項１を削除し、同請求項２を次のとおりの新たな請求項１に訂正する。
　【請求項１】ケーシングチューブの外周を把持するチャック機構を備え、該チャック機構を回転させる回転機構が載置された昇降フレームを、べ一スフレームに上下動可能に支承すると共に、前記昇降フレームを複数のシリンダにより昇降させてケーシングチューブの押込・引抜を行う昇降機構を備えたチュービング装置において、
　前記昇降機構が、前記ケーシングチューブと平行に、かつ同軸上に設けられた第１及び第２ガイド筒を複数組備え、前記第１及び第２ガイド筒の一方を他方に摺動可能に挿入すると共に、前記第１ガイド筒を前記昇降フレームに取り付け、かつ前記第２ガイド筒を前記ベースフレームに立設し、前記ガイド筒内に前記シリンダを収納して、前記シリンダの一端を前記昇降フレーム側に他端を前記第２ガイド筒に連結し、
　供給される流体により駆動される前記水平ジャッキを、前記各シリンダに対応して、その上端を前記第２ガイド筒内に挿入して前記シリンダと同軸上の前記ベースフレーム上に配置したことを特徴とするチュービング装置。」
　２）明細書段落【０００５】【課題を解決するための手段】の、次の記載を削除する。
「即ち、ケーシングチューブの外周を把持するチャック機構を備え、該チャック機構を回転させる回転機構が載置された昇降フレームを、ベースフレームに上下動可能に支承すると共に、前記昇降フレームを複数のシリンダにより昇降させてケーシングチューブの押込・引抜を行う昇降機構を備えたチュービング装置において、前記各シリンダに対応して、前記シリンダと同軸上の前記ベースフレーム上に水平ジャッキを配置したことを特徴とするチュービング装置の構成がそれである。」
　３）明細書段落【０００６】の課題を解決するための手段の記載を、次のように訂正する。
「即ち、ケーシングチューブの外周を把持するチャック機構を備え、該チャック機構を回転させる回転機構が載置された昇降フレームを、ベースフレームに上下動可能に支承すると共に、前記昇降フレ−ムを複数のシリンダにより昇降させてケーシングチューブの押込・引抜を行う昇降機構を備えたチュービング装置において、
　前記昇降機構が、前記ケーシングチューブと平行に、かつ同軸上に設けられた第１及び第２ガイド筒を複数組備え、前記第１及び第２ガイド筒の一方を他方に摺動可能に挿入すると共に、前記第１ガイド筒を前記昇降フレームに取り付け、かつ前記第２ガイド筒を前記ベースフレームに立設し、前記ガイド筒内に前記シリンダを収納して、前記シリンダの一端を前記昇降フレーム側に他端を前記第２ガイド筒に連結し、
　供給される流体により駆動される前記水平ジャッキを、前記各シリンダに対応して、その上端を前記第２ガイド筒内に挿入して前記シリンダと同軸上の前記ベースフレーム上に配置したことを特徴とするチュービング装置の構成がそれである。」
　４）明細書段落【０００８】の、「昇降機構が第１ガイド筒と第２ガイド筒とを備えたものでは、」の記載を削除する。
　５）明細書段落【００２９】【発明の効果】の、「挿入する構成とすると、」の記載を、「挿入したので、」に訂正する。
（２）訂正の目的の適否、新規事項の有無及び拡張・変更の存否
　上記訂正１）は、請求項１を削除し、請求項２を請求項１に訂正したものであって、該請求項１は、引用形式の請求項２を、独立形式の請求項に表現したにすぎず、単に記載形式に関する訂正であるから、特許請求の範囲の減縮に該当する。
　また、上記訂正２）及び３）は、明細書の【課題を解決するための手段】の記載を上記訂正１）の特許請求の範囲の記載と整合させる訂正であるから、明りようでない記載の釈明に該当する。
　また、上記訂正４）は、特許請求の範囲の減縮に伴い、特許請求の範囲の構成に対応する作用を明りようにするものであるから、明りようでない記載の釈明に該当する。
　また、上記訂正５）は、特許請求の範囲の減縮に伴い、発明の効果の記載を明りようにするものであるから、明りようでない記載の釈明に該当する。
　そして、上記訂正１）〜５）は、願書に添付した明細書又は図面に記載した事項の範囲内の訂正であり、実質的に特許請求の範囲を拡張し又は変更するものではない。
（３）独立特許要件
１）引用刊行物
　当審の取消理由通知で引用した刊行物１（ＳＰＡＣＥ２１工法施工要領書−第２版−、平成３年７月２０日、ＳＰＡＣＥ２１工法協会発行）、刊行物２（特開昭６３−２５１５２０号公報）には、それぞれ次の事項が記載されている。
　刊行物１（異議申立人・株式会社平林製作所提出の甲第３号証）
　１頁２０〜２４行には、「ＳＰＡＣＥ２１（スペース）工法とは、既製杭の中空断面に先端掘削刃のついたオーガーシャフトを挿入して、杭体を支持層まで回転圧入させ、・・・支持層中に根固めする工法をいう。」の記載があり、１８頁の表３−３のスペースマシン（ＳＰＲ−１０００）仕様・能力には、ポンプユニットとして旋回用ポンプを用いることが記載され、１３頁の図３−１の油圧式全回転スペースマシン（ＳＰＲ−８００）には、旋回機構として油圧モーター１を用いることが記載されているから、１４頁の図３−２の油圧式全回転スペースマシン（ＳＰＲ−１０００）も、旋回機構に油圧モーターを用いていることは明らかである。そして、図３−２の正面図に記載されたレベルシリンダーＨを、特に、昇降シリンダーＧと同軸以外の箇所に配置する記載は認められないから、同図に記載のレベルシリンダーＨは、昇降フレームＢを昇降させる昇降シリンダーＧと同軸に配置されていると認める。
　したがって、上記図３−２には、中空断面を有する既製杭の外周を把持する主締付けバンドＥ、副主締付けバンドＦ及び主締付シリンダーＩ、副主締付シリンダーＪからなるチャック機構を備え、該チャック機構を回転させる油圧モーター等からなる旋回機構が配設された昇降フレームＢを、ベースＡに上下動可能に支承すると共に、前記昇降フレームＢを複数の昇降シリンダーＧにより昇降させて既製杭の押込を行う昇降機構を備えた油圧式全回転スペースマシン（ＳＰＲ−１０００）において、前記昇降シリンダＧと同軸上の前記ベースＡ上にレベルシリンダーＨを配置した油圧式全回転スペースマシン（ＳＰＲ−１０００）、の発明（以下、刊行物１記載の発明という）が記載されている。
　そして、上記刊行物１に関して、異議申立人がその補強資料として提出した、ＳＰＲ−１０００油圧式全回転スペースマシン、取扱説明書（特許権者は平成１１年４月２２日付けの特許異議意見書で、この補強資料の公知性を否定している。）の４７頁には、上記刊行物１記載の発明に関して、スライドガイド１０９を固定したジョイントパイプ１１０及びレベルシリンダー取付パイプ１０８を複数組備え、前記ジョイントパイプ１１０を前記昇降フレームＢに取り付け、かつ前記レベルシリンダー取付パイプ１０８を前記ベースＡに立設し、前記ジョイントパイプ１１０内に昇降シリンダーＧを収納して、前記昇降シリンダーＧの一端を前記昇降フレームＢ側に他端を前記レベルシリソダー取付パノプ１０８側に連結し、供給される流体により駆動される前記レベルシリンダーを、前記各シリンダに対応して、その上端を前記レベルシリンダー取付パイプ１０８内に挿入して前記シリンダと同軸上の前記ベースフレームに配置した、構成が記載されている。
　刊行物２（異議申立人・株式会社平林製作所提出の甲第４号証）
　「本発明は、建築、土木等の基礎工事に使用する大口径鋼管杭やケーシングチューブの押込・引抜を行なうチュービング装置に関する。」（１頁右下欄６行〜同８行）、
　「昇降フレーム４には、リング状の回転体６が軸受け７により回転可能に支持されており、該回転体６の外周にはギヤ８が形成され、このギヤ８に昇降フレーム４に設けられた２台の油圧モータ９がアイドラ１０を介してそれぞれ噛合している。また、回転体６の内周には、ケーシングチューブ１１の挿通孔１２が設けられ、該挿通孔１２には、ケーシングチューブ１１方向へ向けて下方に収束するテーパ面１３を有するチャック溝１４が６ケ所形成されている。」（２頁右下欄５行〜同１９行）。
　そして、上記及び第１図、第３図の記載によると、刊行物２には、全回転チュービング装置において、チャック機構を回転させる回転機構が載置された昇降フレームの構成が記載されている。
２）対比・判断
　刊行物１の補強資料に記載の「ジョイントパイプ１１０」、「レベルシリンダー取付パイプ１０８」は、請求項１に係る発明の第１及び第２ガイド筒のように一方を他方に摺動可能に挿入するものではなく、したがって、同ジョイントパイプ１１０及びレベルシリンダー取付パイプ１０８は、請求項１に係る発明の第１及び第２ガイド筒で言うようなガイド筒を構成するものではないものである。そして、上記ジョイントパイプ１１０及びレベルシリンダー取付パイプ１０８を、請求項１に係る発明の第１及び第２ガイド筒のように一方を他方に摺動可能に挿入することは、刊行物１及び２には記載も示唆もされていない。
　そうしてみると、刊行物１及び２には、本件特許の請求項１に係る発明の「昇降機構が、ケーシングチューブと平行に、かつ同軸上に設けられた第１及び第２ガイド筒を複数組備え、前記第１及び第２ガイド筒の一方を他方に摺動可能に挿入すると共に、前記第１ガイド筒を前記昇降フレームに取り付け、かつ前記第２ガイド筒を前記ベースフレームに立設し、前記ガイド筒内に前記シリンダを収納して、前記シリンダの一端を前記昇降フレーム側に他端を前記第２ガイド筒に連結し、供給される流体により駆動される前記水平ジャッキを、前記各シリンダに対応して、その上端を前記第２ガイド筒内に挿入して前記シリンダと同軸上の前記ベースフレーム上に配置した」構成は、記載されても示唆されてもいない。
　そして、上記構成により、本件特許の請求項１に係る発明は、「水平ジャッキ６８の上端を第２ガイド筒４６に挿入した構成とすると、昇降フレーム１２とベースフレーム５６との間隔を小さくできるので、チュービング装置の高さを低くすることができる。」という刊行物１及び２に記載された事項からは期待できない明細書記載の効果を奏するものである。
　したがって、本件請求項１に係る発明は、刊行物１及び２の記載の発明から当業者が容易に発明をすることができたものではなく、本件請求項１に係る発明は、特許出願の際独立して特許を受けることができるものである。
（４）むすび
　以上、上記訂正請求は、特許法第１２０条の４第２項及び同条第３項で準用する同法第１２６条第２〜４項の規定に適合するので、当該訂正を認める。
ＩＩＩ．特許異議の申立について
（１）本件発明
　本件特許の請求項１に係る発明は、上記Ｉ．（１）の訂正明細書の特許請求の範囲の請求項１に記載されたとおりのものである。
（２）申立の理由の概要
１）申立人・三菱重工業株式会社は、本件特許の訂正前の請求項１に係る発明は、甲第１号証（特願平５−４５０１８号〔特開平６−２５７３６４号公報〕）に記載された発明と同一であり、特許法第２９条の２の規定により、特許を受けることができないものであるから、その特許を取消すべきである旨主張し、
２）申立人・株式会社平林製作所は、本件特許の訂正前の請求項１に係る発明は、甲第１号証（西三荘都市下水路築造工事〈その２０〉施工計画書抜粋）、甲第２号証（パンフレット“ＳＰＡＣＥ２１工法　ＴＥＣＨＮＯＬＯＧＹ　ＧＵＩＤＥ　ＳＰＡＣＥ２１”、ＳＰＡＣＥ２１工法協会発行）及び甲第３号証（ＳＰＡＣＥ２１工法施工要領書−第２版−、平成３年７月２０日、ＳＰＡＣＥ２１工法協会発行）に記載の発明と同一であり、特許法第２９条第１項第１〜３号の規定により、特許を受けることができないものであるか、又、本件特許の訂正前の請求項２に係る発明は、上記甲第１〜３号証及び甲第４号証（特開昭６３−２５１５２０号公報）に記載された発明に基づき当業者が容易に発明をすることができたものであり、特許法第２９条第２項の規定により、特許を受けることができないものであるから、その特許を取消すべきである旨主張している。
（３）判断
１）訂正前の請求項１に係る発明は、訂正の結果削除され、特許異議の申立の対象が存在しないので、申立人・三菱重工業株式会社の申立を却下する。
２）申立人・株式会社平林製作所の提出した甲第１号証及び甲第２号証には、上記ＩＩ．（３）２）での甲第３号証及び甲第４号証の検討で指摘した本件特許の請求項１に係る発明の構成は、記載されても示唆されてもいない。
（４）むすび
　以上、特許異議申立の理由及び証拠によっては、本件請求項１に係る発明の特許を取消すべき理由を発見しない。
　また、他に本件請求項１に係る発明の特許を取り消すべき理由を発見しない。
　よって、結論のとおり決定する。
【異議決定日】
平成１１年８月５日（１９９９．８．５）
【訂正の要旨】
　本件訂正は、特許請求の範囲の減縮及び明りようでない記載の釈明を目的として、願書に添付された明細書の記載を下記１）〜５）のように訂正するものである。
（１）特許請求の範囲の記載を訂正明細書の特許請求の範囲に記載のとおり、
「【請求項１】ケーシングチューブの外周を把持するチャック機構を備え、該チャック機構を回転させる回転機構が載置された昇降フレームを、ベースフレームに上下動可能に支承すると共に、前記昇降フレームを複数のシリンダにより昇降させてケーシングチューブの押込・引抜を行う昇降機構を備えたチュービング装置において、
前記昇降機構が、前記ケーシングチューブと平行に、かつ同軸上に設けられた第１及び第２ガイド筒を複数組備え、前記第１及び第２ガイド筒の一方を他方に摺動可能に挿入すると共に、前記第１ガイド筒を前記昇降フレームに取り付け、かつ前記第２ガイド筒を前記ベースフレームに立設し、前記ガイド筒内に前記シリンダを収納して、前記シリンダの一端を前記昇降フレーム側に他端を前記第２ガイド筒に連結し、
　供給される流体により駆動される前記水平ジャッキを、前記各シリンダに対応して、その上端を前記第２ガイド筒内に挿入して前記シリンダと同軸上の前記ベースフレーム上に配置したことを特徴とするチュービング装置。」
と訂正する。
　２）明細書段落【０００５】【課題を解決するための手段】の記載を、
「かかる目的を達成すべく、本発明は課題を解決するための手段として次の構成を取った。」
に訂正する。
　３）明細書段落【０００６】の課題を解決するための手段の記載を、
「即ち、ケーシングチューブの外周を把持するチャック機構を備え、該チャック機構を回転させる回転機構が載置された昇降フレームを、ベースフレームに上下動可能に支承すると共に、前記昇降フレームを複数のシリンダにより昇降させてケーシングチューブの押込・引抜を行う昇降機構を備えたチュービング装置において、
　前記昇降機構が、前記ケーシングチューブと平行に、かつ同軸上に設けられた第１及び第２ガイド筒を複数組備え、前記第１及び第２ガイド筒の一方を他方に摺動可能に挿入すると共に、前記第１ガイド筒を前記昇降フレームに取り付け、かつ前記第２ガイド筒を前記ベースフレームに立設し、前記ガイド筒内に前記シリンダを収納して、前記シリンダの一端を前記昇降フレーム側に他端を前記第２ガイド筒に連結し、
　供給される流体により駆動される前記水平ジャッキを、前記各シリンダに対応して、その上端を前記第２ガイド筒内に挿入して前記シリンダと同軸上の前記ベースフレーム上に配置したことを特徴とするチュービング装置の構成がそれである。」
に訂正する。
（５４）【発明の名称】
チュービング装置
（５７）【特許請求の範囲】
　【請求項１】　ケーシングチューブの外周を把持するチャック機構を備え、該チャック機構を回転させる回転機構が載置された昇降フレームを、ベースフレームに上下動可能に支承すると共に、前記昇降フレームを複数のシリンダにより昇降させてケーシングチューブの押込・引抜を行う昇降機構を備えたチュービング装置において、
　
前記昇降機構が、前記ケーシングチューブと平行に、かつ同軸上に設けられた第１及び２ガイド筒を複数組揃え、前記第１及び２ガイド筒の一方を他方に摺動可能に挿入すると共に、前記第１ガイド筒を前記昇降フレームに取り付け、かつ前記２ガイド筒を前記ベースフレームに立設し、前記ガイド筒内に前記シリンダを収納して、前記シリンダの一端を前記昇降フレーム側に他端を前記第２ガイド筒に連結し、
　供給される流体により駆動される水平ジャッキを、前記シリンダに対応して、その上端を前記第２ガイド筒内に挿入して前記シリンダと同軸上の前記ベースフレーム上に配置した
【発明の詳細な説明】
　【０００１】
　【産業上の利用分野】
　本発明は、建築、土木等の基礎工事に使用するケーシングチューブの押込・引抜を行うチュービング装置に関するものである。
　【０００２】
　【従来の技術】
　従来より、ケーシングチューブの押込・引抜を行うチュービング装置として、例えば、特開昭６３−２５１５２０号公報にあるように、昇降フレームに回転可能に支承した回転体にテーパ面を有する挿入孔を形成し、挿入孔にケーシングチューブを挿入する。そして、テーパ面とケーシングチューブとの間に楔を挿入して、ケーシングチューブの外周を把持し、回転体を回転させてケーシングチューブを回転させる。また、昇降フレームに第１ガイド筒を固定すると共に、第１ガイド筒に摺動可能に挿入された第２ガイド筒をベースフレームに固定する。昇降フレームとベースフレームとがシリンダにより連結され、シリンダの駆動によって昇降フレームを上下動作せて、ケーシングチューブの押込・引抜を行うことができるように構成したものが提案されている。
　【０００３】
　【発明が解決しようとする課題】
　しかしながら、こうした従来のものでは、ベースフレームの外縁の複数箇所に水平ジャッキを取り付けて、この水平ジャッキによりベースフレームが水平となるように調整していた。その為、例えば、図４（イ）に示すように、ベースフレーム１００外縁の両水平ジャッキ１０２を支点とし、ケーシングチューブ１０４の引抜時の反力がシリンダ１０８に作用する。よって、ベースフレーム１００には、図４（ロ）に示すような大きな曲げモーメントが作用し、ベースフレーム１００はこれに耐えるだけの強固なものとする必要があると共に、水平ジャッキ１０２の取付分、チュービング装置の設置面積が広くなり、敷地の狭い現場や壁ぎわの作業等では支障をきたす場合があるという問題があった。
　【０００４】
　そこで本発明は上記の課題を解決することを目的とし、ベースフレームに大きな曲げモーメントが加わらないようにした、また、設置面積が小さいチュービング装置を提供することにある。
　【０００５】
　【課題を解決するための手段】
　かかる目的を達成すべく、本発明は課題を解決するための手段として次の構成を取っ
た。
　【０００６】
　
即ち、ケーシングチューブの外周を把握するチャック機構を備え、該チャック機構を回転させる回転機構が載置された昇降フレームを、ベースフレームに上下動可能に支承すると共に、前記昇降フレームを複数のシリンダにより昇降させてケーシングチューブの押込・引抜を行う昇降機構を備えたチュービング装置において、
　前記昇降機構が、前記ケーシングチューブと平行に、かつ同軸上に設けられた第１及び第２ガイド筒を複数組備え、前記第１及び第２ガイド筒の一方を他方に摺動可能に挿入すると共に、前記第１ガイド筒を前記昇降フレームに取り付け、かつ前記第２ガイド筒を前記ベースフレームに立設し、前記ガイド筒内に前記シリンダを収納して、前記シリンダの一端を前記昇降フレーム側に他端を前記第２ガイド筒に連結し、
　供給される流体により駆動される水平ジャッキを、前記各シリンダに対応して、その上端を前記第２ガイド筒内に挿入して前記シリンダと同軸上の前記ベースフレーム上に配置したことを特徴とするチュービング装置の構成がそれである。
　【０００７】
　【作用】
　前記構成を有するチュービング装置は、水平ジャッキにより水平を調整すると共に、チャック機構がケーシングチューブの外周を把持し、回転機構がチャック機構を回転させ、昇降機構が複数のシリンダにより昇降フレームを上下動させてケーシングチューブの押込・引抜を行う。そして、そのときの反力はシリンダと同軸上の水平ジャッキに作用して、ベースフレームには大きな曲げモーメントが加わらない。
　【０００８】
　ま
た、シ
　【０００９】
　【実施例】
　以下本発明の実施例を図面に基づいて詳細に説明する。
　図２，３に示すように、１はケーシングチューブで、ケーシングチューブ１の外周には、等間隔で複数の楔状のチャック部材２が配置されており、チャック部材２は、回転リング４から両端が軸支されたリンク６を介して吊下げられている。回転リング４は、上部フレーム８にベアリング１０を介して回転可能に支持されており、上部フレーム８と昇降フレーム１２とは複数のチャックシリンダ１４により連結されている。
　【００１０】
　昇降フレーム１２にはケーシングチューブ１を外周のチャック部材２と共に挿入可能な挿入孔１６が形成された回転体１８が、ベアリング２０を介して回転可能に支持されている。挿入孔１６には、前記チャック部材２の背面に形成されたテーパ面２２と対応したテーパ面２４が形成されている。尚、本実施例では、チャック部材２、回転リング４、リンク６、上部フレーム８、ベアリング１０、チャックシリンダ１４、回転体１８によりチャック機構２６を構成している。
　【００１１】
　回転体１８の外周には、歯車部２８が形成されており、歯車部２８には昇降フレーム１２に取り付けられた支持軸３０にベアリング３２を介して回転可能に支承されたアイドル歯車３４が噛合されている。アイドル歯車３４には、昇降フレーム１２に固定された油圧モータ３６に取り付けられた小歯車３８が噛合されている。
　【００１２】
　尚、本実施例では、複数の油圧モータ３６が設けられ、また、それぞれに小歯車３８、アイドル歯車３４が設けられており、回転体１８、ベアリング２０、アイドル歯車３４、小歯車３８、油圧モータ３６により回転機構４０が構成されている。
　【００１３】
　また、図１、図２に示すように、ケーシングチューブ１と平行に複数本（本実施例では４本）の第１ガイド筒４２が昇降フレーム１２に、昇降フレーム１２を貫通して配置されており、第１ガイド筒４２に形成されたフランジ部４４が昇降フレーム１２の下面に図示しないボルトにより固定されている。昇降フレーム１２の上側に突出している第１ガイド筒４２の外周には、上部フレーム８の下面に取り付けられた筒状のガイド部材４５が摺動可能に嵌着されて、上部フレーム８と昇降フレーム１２とを相対的に上下動可能に支持されている。
　【００１４】
　そして、各第１ガイド筒４２の内周には、それぞれ第２ガイド筒４６の外周が摺動可能に嵌入されており、第２ガイド筒４６の下端には、フランジ部４８が形成されている。また、各第１ガイド筒４２の上端には、シリンダ５０のヘッド側が固定されており、各第２ガイド筒４６には、シリンダ５０のロッド５２がピン５４を介して連結されている。尚、第１ガイド筒４２の外周に、第２ガイド筒４６の内周を摺動可能に嵌着させても実施可能である。
　【００１５】
　一方、ベースフレーム５６は、上板５６ａと、この上板５６ａの下側に上板５６ａの外周に沿って設けられた側板５６ｂとを備え、第２ガイド筒４６に対応して、上板５６ａ上に取付座５８が形成されている。この取付座５８に図示しないボルト等により第２ガイド筒４６のフランジ部４８が固定されて、第２ガイド筒４６がベースフレーム５６に立設されている。尚、本実施例では、第１ガイド筒４２、第２ガイド筒４６、シリンダ５０により昇降機構６０が構成されている。
　【００１６】
　フランジ部４８と取付座５８とに、シリンダ５０と同軸上にそれぞれ貫通孔６２，６４が形成されており、また、ベースフレーム５６の上板５６ａにも、同様の貫通孔６６が形成されている。そして、上板５６ａの裏側には、水平ジャッキ６８のフランジ部７０が、一対の連結部材７２を介して取り付けられている。
　【００１７】
　この水平ジャッキ６８は、供給される流体により脚部材７４を軸方向に突き出すことができる構成のもので、水平ジャッキ６８とシリンダ５０とが、同軸上に配置されている。また、水平ジャッキ６８は、上板５６ａの貫通孔６６、取付座５８の貫通孔６４、フランジ部４８の貫通孔６２に挿入され、水平ジャッキ６８の上端が第２ガイド筒４６にまで挿入されている。
　【００１８】
　次に、前述した本実施例のチュービング装置の作動について説明する。
　まず、掘削位置にチュービング装置が設置されると、ベースフレーム５６や昇降フレーム１２上に配置した図示しない傾斜計の指示する値に従って、各水平ジャッキ６８に流体を供給して、ベースフレーム５６や昇降フレーム１２が水平となるように調整する。各水平ジャッキ６８は供給される流体に応じて、脚部材７４を下方に突き出し、地面の凹凸や傾斜に従って各水平ジャッキの突出し量を調整してベースフレーム５６、昇降フレーム１２を水平に支持する。
　【００１９】
　その後、図示しないスパイク等を地中に打ち込んで、後述するケーシングチューブ１を回転させた際の反力によりベースフレーム５６が回転しないように固定すると共に、図示しないウエイトによりケーシングチューブ１を押し込んだ際にベースフレーム５６が浮き上がらないようにする。
　【００２０】
　そして、ケーシングチューブ１が挿入され、チャックシリンダ１４が駆動される。これにより、第１ガイド筒４２に沿ってガイド部材４５が摺動し、上部フレーム８が引き下げられ、ベアリング１０、回転リング４、リンク６を介して、チャック部材２がケーシングチューブ１の外周と回転体１８のテーパ面２４との間に挿入される。チャック部材２のテーパ面２２がテーパ面２４に沿って摺動して、複数のチャック部材２がケーシングチューブ１の外周を把持する。
　【００２１】
　次に、油圧モータ３６が回転駆動されて、小歯車３８、アイドル歯車３４、歯車部２８を介して回転体１８が回転され、回転体１８と共にチャック機構２６により把持されたケーシングチューブ１が回転される。また、シリンダ５０が縮み側に駆動されて、第１ガイド筒４２が第２ガイド筒４６の外周を摺動して、第１ガイド筒４２と共に昇降フレーム１２が下降される。これにより、ケーシングチューブ１は、回転しながら地中に押し込まれ、ケーシングチューブ１先端の図示しない掘削ビットにより掘削が行われる。
　【００２２】
　シリンダ５０の全ストロークが駆動されると、一旦油圧モータ３６の回転が停止され、チャックシリンダ１４が駆動されて、上部フレーム８、ベアリング１０、回転リング４、リンク６を介してチャック部材２が引き上げられて、ケーシングチューブ１の把持が開放される。
　【００２３】
　そして、シリンダ５０が伸び側に駆動されて、第１ガイド筒４２が第２ガイド筒４６の外周を摺動して昇降フレーム１２を上昇させる。そして、前述した動作を繰り返し、チャック機構２６によりケーシングチューブ１の外周を把持すると共に、回転体１８を回転させながら、昇降フレーム１２を下降させて、ケーシングチューブ１を押し込む。この動作を繰り返し実行して、ケーシングチューブ１による掘削が行われる。また、ケーシングチューブ１は継ぎ足すことにより、より深く掘削することができる。
　【００２４】
　掘削が終了すると、今度は、チャック機構２６によりケーシングチューブ１の外周を把持した状態で、シリンダ５０を伸び側に駆動して、昇降フレーム１２を上昇させる。これにより、ケーシングチューブ１が地中から引き抜かれ、シリンダ５０の全ストロークが駆動されると、チャック機構２６による把持が開放されて、シリンダ５０を縮み側に駆動して昇降フレーム１２を下降させる。
　【００２５】
　そして、再び、チャック機構２６によりケーシングチューブ１の外周を把持して、シリンダ５０により昇降フレーム１２を上昇させて、ケーシングチューブ１を引き抜く。この動作を繰り返し実行して、地中からケーシングチューブ１を引き抜く。
　【００２６】
　このケーシングチューブ１を引く抜く際に、シリンダ５０に引き抜き力の反力が加わり、第２ガイド筒４６、フランジ部４８、取付座５８を介して上板５６ａに反力が作用すると共に、連結部材７２を介して水平ジャッキ６８に作用する。シリンダ５０と水平ジャッキ６８とは同軸上に配置されているので、ベースフレーム５６には、前記反力に起因する大きな曲げモーメントが加わらない。従って、ベースフレーム５６を強固に形成する必要がないので軽量化できる。
　【００２７】
　また、シリンダ５０と水平ジャッキ６８とを同軸上に配置したので、ベースフレーム５６をシリンダ５０の配置に合わせた大きさに形成することができ、べ一スフレーム５６を小型化することができる。従って、チュービング装置の設置面接が小さくなり、狭い敷地面積の作業現場でも設置することができると共に、壁ぎわにも設置することができ、壁ぎわでの作業も容易となる。
　【００２８】
　しかも、水平ジャッキ６８の上端を第２ガイド筒４６に挿入した構成とすると、昇降フレーム１２とベースフレーム５６との間隔を小さくできるので、チュービング装置の高さを低くすることができる。
　以上本発明はこの様な実施例に何等限定されるものではなく、本発明の要旨を逸脱しない範囲において種々なる態様で実施し得る。
　【００２９】
　【発明の効果】
　以上詳述したように本発明のチュービング装置は、ベースフレームに大きな曲げモーメントが加わらないので軽量化できると共に、シリンダと水平ジャッキとを同軸上に配置したのでベースフレームを小型化でき、よって、設置面積を小さくできるので、敷地の狭い場所でも作業ができると共に、壁ぎわでも容易に作業することができるという効果を奏する。また、水平ジャッキの上端を第２ガイド筒に
挿入したので、
【図面の簡単な説明】
　【図１】本発明の一実施例としてのチュービング装置の昇降機構と水平ジャッキの拡大断面図である。
　【図２】本実施例のチュービング装置の概略斜視図である。
　【図３】本実施例のチャック機構、回転機構の拡大断面図である。
　【図４】従来のチュービング装置の概略構成と曲げモーメントとの関係を示す説明図である。
　【符号の説明】
１…ケーシングチューブ　　２…チャック部材　　　　８…上部フレーム
１２…昇降フレーム　　　　１４…チャックシリンダ　１８…回転体
２６…チャック機構　　　　４０…回転機構　　　　　４２…第１ガイド筒
４６…第２ガイド筒　　　　４８…フランジ部　　　　５０…シリンダ
５６…ベースフレ−ム　　　６８…水平ジャッキ　　　７４…脚部材